(57)【要約】      （修正有）【課題】パチンコ遊技機の遊技釘の調整を目視により確認するにあたり補助的役割を果たす釘確認シート体を提供する。【解決手段】第１〜第３の釘確認シート部材を備え、シート部材は、それぞれ、透明シートを有しており、各透明シートの面には線状枠が印刷されている。第１釘確認シート部材Ｓ１の透明シート１００の面には線状枠１１０内にて、遊技盤の下部を表す下部画像Ａが印刷され、第２釘確認シート部材の透明シートの面には線状枠内にて、遊技盤の左部を表す左部画像が印刷され、第３釘確認シート部材の透明シートの面には線状枠内にて、遊技盤の上部を表す上部画像が印刷されている。第１〜第３の釘確認シート部材の各透明シートのうち各対応の線状枠の外側面部には、第１〜第３の釘確認シート部材をそれぞれ特定する囲い文字１２０が印刷されている。【選択図】図２
0003221387.tif 000002
【実用新案登録請求の範囲】
【請求項１】
パチンコ遊技機の遊技盤の盤面からその前方へ分散して立設するように打ち込まれる多数の遊技釘からなる遊技釘群を確認するための釘確認シート体であって、
少なくとも第１及び第２の釘確認シート部材を備えており、
前記第１釘確認シート部材は、
四角形状に形成してなる透明シートと、
当該透明シートの各辺に平行な各辺を有するように前記透明シートの面に描かれる四角状の線状枠と、
当該四角状の線状枠内にて前記遊技釘群のうち前記盤面の一盤面部から立設する各遊技釘を前記盤面の前方から見える形状にて前記透明シートの前記面に描かれる各釘画像とを備えており、
前記第２釘確認シート部材は、
前記透明シート、前記四角状の線状枠及び前記釘画像を、それぞれ、第１透明シート、第１の四角状の線状枠及び第１釘画像として、
前記第１透明シートと同一形状に形成してなる第２透明シートと、
当該第２透明シートの各辺に平行な各辺を有するように前記第1の四角状の線状枠と同一形状にて前記第２透明シートの面に描かれる第２の四角状の線状枠と、
当該第２の四角状の線状枠内にて前記遊技釘群のうち前記盤面の前記一盤面部とは異なる盤面部を少なくとも含む他の盤面部から立設する各遊技釘を前記盤面の前方から見える形状にて前記第２透明シートの前記面に描かれる各第２釘画像とを備えており、
前記第１透明シートの前記面のうち前記第１の四角形状の線状枠の外側面部には、前記第１透明シートを特定する符号が第１符号として描かれるとともに、前記第２透明シートの前記面のうち前記第２の四角形状の枠の外側面部には、前記第２透明シートを特定する符号が、前記第１符号に後続する第２符号として描かれており、
当該第２符号は、前記第１及び第２の透明シートを重ね合わせたとき、前記第１透明シートの前記第１符号とは異なる位置に位置するように前記第２透明シートの前記第２の四角形状の線状枠の外側面部に描かれている釘確認シート体。
【請求項２】
前記第２符号は、前記第１及び第２の透明シートを重ね合わせたとき、前記第１透明シートの前記第１符号の隣に並んで位置するように前記第２透明シートの前記第２の四角形状の線状枠の外側面部に描かれていることを特徴とする請求項１に記載の釘確認シート体。
【請求項３】
前記第１及び第２の透明シートの各々は、その各隅角部にて、丸みを帯びた形状に形成されていることを特徴とする請求項１または２に記載の釘確認シート。
【請求項４】
前記第１及び第２の透明シートの各々は、その各隅角部にて、円弧形状に形成されていることを特徴とする請求項３に記載の釘確認シート体。
【請求項５】
前記第１及び第２の透明シートは、それぞれ、透明の樹脂材料でもって形成されていることを特徴とする請求項１〜４のいずれか１つに記載の釘確認シート体。
【請求項６】
前記第１及び第２の符号は、互いに連続する数字、片仮名或いはアルファベットであることを特徴とする請求項１〜５のいずれか１つに記載の釘確認シート体。
【請求項７】
前記第１釘確認シート部材は、第１分数文字（１／３、２／３、３／３）を有しており、当該第１分数文字は、前記第１透明シートにその前記線状枠の内側にて描かれており、
前記第２釘確認シート部材は、第２分数文字（１／３、２／３、３／３）を有しており、当該第２分数文字は、前記第２透明シートにその前記線状枠の内側にて描かれており、
前記第１及び第２の分数文字は、各分母にて、確認シート部材の全枚数を特定するとともに、各分子にて、前記第１及び第２の釘確認シート部材をそれぞれ特定することを特徴とする請求項１〜６のいずれか１つの記載の釘確認シート体。
【考案の詳細な説明】
【技術分野】
【０００１】
本考案は、パチンコ遊技機に利用するに適した釘確認シート体に関する。
【背景技術】
【０００２】
従来、パチンコ遊技機は、下記特許文献１に開示されているように、遊技盤を備えており、当該遊技盤の盤面にはその遊技領域に亘り多数の遊技釘が分散して打ち込まれている。これにより、当該パチンコ遊技機における遊技者による遊技において、遊技球が、盤面の遊技領域内にて遊技釘と衝突したり隣り合う遊技釘の間を通りながら下方へ転動していく。遊技者は、このような転動過程において、遊技球が各種の入賞口のいずれかに入賞することを期待しながら遊技を行う。
【先行技術文献】
【特許文献】
【０００３】
【特許文献１】特開２０１５−２２８９１４号公報
【考案の概要】
【考案が解決しようとする課題】
【０００４】
ところで、上述のような構成を有するパチンコ遊技機では、多数、パチンコホールに設置されているものの、パチンコ遊技機の遊技に伴う遊技球の出玉数の有り方によって、パチンコホールとしての経営の悪化や客足の減少を招く。
【０００５】
例えば、パチンコ遊技機による遊技に伴い、出玉数が多過ぎると、遊技者にとっては利益の増大を招くものの、パチンコホールの売り上げが減少して経営の悪化を招く。一方、遊技球の出球数が少な過ぎると、パチンコホールの売り上げの増大を招くものの、結果として、客足の減少を招きパチンコホールの経営の悪化につながる。
【０００６】
これに対しては、パチンコホールにおいて、パチンコ遊技機の新台の入れ替え等に伴い、遊技釘の調整が行われるおそれがあるため、このような遊技釘の調整を規制するに必要な対策が望まれる。
【０００７】
そこで、本考案は、以上のようなことに対処するため、パチンコ遊技機の遊技釘の調整状態を目視により確認するにあたりその補助的役割を果たす釘確認シート体を提供することを目的とする。
【課題を解決するための手段】
【０００８】
上記課題の解決にあたり、本考案に係る釘確認シート体は、請求項１の記載によれば、
パチンコ遊技機の遊技盤（Ｐ）の盤面（１１）からその前方へ分散して立設するように打ち込まれる多数の遊技釘（４１）からなる遊技釘群（４０）を確認するための釘確認シート体であって、
少なくとも第１及び第２の釘確認シート部材（Ｓ１、Ｓ２、Ｓ３）を備えており、
第1釘確認シート部材は、
四角形状に形成してなる透明シート（１００、２００、３００）と、
当該透明シートの各辺に平行な各辺を有するように透明シートの面に描かれる四角状の線状枠（１１０、２１０、３１０）と、
当該四角状の線状枠内にて遊技釘群のうち上記盤面の一盤面部から立設する各遊技釘を上記盤面の前方から見える形状にて透明シートの上記面に描かれる各釘画像とを備えており、
第２釘確認シート部材は、
透明シート、四角状の線状枠及び釘画像を、それぞれ、第１透明シート、第１の四角状の線状枠及び第１釘画像として、
第１透明シートと同一形状に形成してなる第２透明シート（１００、２００、３００）と、
当該第２透明シートの各辺に平行な各辺を有するように第１の四角状の線状枠と同一形状にて第２透明シートの面に描かれる第2の四角状の線状枠（１１０、２１０、３１０）と、
当該第２の四角状の線状枠内にて遊技釘群のうち上記盤面の上記一盤面部とは異なる盤面部を少なくとも含む他の盤面部から立設する各遊技釘を上記盤面の前方から見える形状にて第２透明シートの上記面に描かれる各第２釘画像とを備えており、
第１透明シートの上記面のうち第１の四角形状の線状枠の外側面部には、第１透明シートを特定する符号が第１符号（１２０、２２０、３２０）として描かれるとともに、第２透明シートの上記面のうち第２の四角形状の枠の外側面部には、第２透明シートを特定する符号が第1符号に後続する第２符号（１２０、２２０、３２０）として描かれており、
当該第２符号は、第１及び第２の透明シートを重ね合わせたとき、第１透明シートの上記第１符号とは異なる位置に位置するように第２透明シートの第２の四角形状の線状枠の外側面部に描かれている。
【０００９】
このような構成によれば、釘確認シート体は、少なくとも第１及び第２の釘確認シート部材でもって、パチンコ遊技機の遊技盤に打ち込まれている遊技釘群の各遊技釘の調整状態が適正か否かを目視により確認するために使用される。
【００１０】
この使用にあたり、釘確認シート体を構成する釘確認シート部材がすべて正しく揃っているかどうかが次のようにして確認される。
【００１１】
まず、手元にあるすべての釘確認シート部材が、第１及び第２の釘確認シート部材であれば、当該第１及び第２の釘確認シート部材の各透明シート（第１及び第２の透明シート）を、その外形にて互いに重なるように重ね合わせる。このとき、第１透明シートを特定する第１符号及び第２透明シートを特定する第２符号が異なる位置に位置する。
【００１２】
これにより、第１及び第２の釘確認シート部材は、釘確認シート体を正しく構成する釘確認シート部材であることが確認され得るとともに、釘確認シート体を構成する釘確認シート部材の枚数は第１及び第２の釘確認シート部材という２枚の釘確認シート部材であることが、確認され得る。
【００１３】
次に、このように確認された釘確認シート体でもって、パチンコ遊技機の遊技盤の遊技釘群の各遊技釘の調整がなされているか否かの目視による確認を以下のようにして行う。
【００１４】
ここで、当該確認は、遊技盤を有するパチンコ遊技機が新台としてパチンコホールに納入された際の各遊技釘の状態が、その後も、当該パチンコホールにおいてそのまま維持されているか否かについて行う。
【００１５】
第１及び第２の釘確認シート部材のうち、まず、第１釘確認シート部材を用いて遊技盤における遊技釘の状態の確認を行う。
【００１６】
当該第１釘確認シート部材は、遊技盤の盤面の一盤面部から立設する各遊技釘の釘画像を特定するものであるから、当該第１釘確認シート部材を、その第１透明シートにて、遊技盤の盤面の一盤面部にその前側からかざす。このとき、第１透明シートの各釘画像が、遊技盤の盤面の一盤面部から立設する各遊技釘に重なるように、第１透明シートを遊技盤の盤面の一盤面部にかざす。
【００１７】
これに伴い、一盤面部における各遊技釘の釘画像が、遊技盤の一盤面部の各遊技釘からずれることなく当該各遊技釘に正しく重なって位置しているか否かが目視により確認される。
【００１８】
ここで、遊技盤の一盤面部における各遊技釘の釘画像が、遊技盤の一盤面部の各遊技釘からずれることなく当該各遊技釘に正しく重なって位置しておれば、遊技盤の一盤面部の各遊技釘の状態が、当該パチンコホールへの当該パチンコ遊技機の納入時の状態に維持されていることが目視により確認され得る。このことは、当該パチンコ遊技機は、その遊技盤の一盤面部の各遊技釘の調整が、当該パチンコホールへの納入後において何らなされていないことを意味する。
【００１９】
一方、遊技盤の一盤面部の各遊技釘の釘画像のうちの少なくとも一遊技釘の釘画像が、遊技盤の一盤面部の各遊技釘のうちの上記一遊技釘の釘画像に対する対応遊技釘からずれて位置しておれば、遊技盤の一盤面部の各遊技釘の状態が、少なくとも上記一遊技釘の釘画像に対する対応遊技釘において、当該パチンコホールへの当該パチンコ遊技機の納入時の状態に維持されておらず、当該パチンコ遊技機の納入後に当該パチンコホールにおいてなされた調整状態にあることが目視により確認され得る。
【００２０】
ついで、第２釘確認シート部材を用いて遊技盤における遊技釘の調整状態の確認を行う。
【００２１】
当該第２釘確認シート部材は、遊技盤の盤面のうちの他の盤面部から立設する各遊技釘の画像を特定するものであるから、当該第２釘確認シート部材を、その第２透明シートにて、遊技盤の他の盤面部にその前側からかざす。
【００２２】
これに伴い、他の盤面部における各遊技釘の釘画像が、遊技盤の他の盤面部の各遊技釘からずれることなく当該各遊技釘に正しく重なって位置しているか否かが、目視により確認される。
【００２３】
ここで、遊技盤の他の盤面部における各遊技釘の釘画像が、遊技盤の他の盤面部の各遊技釘からずれることなく当該各遊技釘に正しく重なって位置しておれば、遊技盤の他の一盤面部の各遊技釘の状態が、当該パチンコホールへの当該パチンコ遊技機の納入時の状態に維持されていることが目視により確認され得る。このことは、当該パチンコ遊技機は、その遊技盤の他の盤面部の各遊技釘の調整が、当該パチンコホールへの納入後において何らなされていないことを意味する。
【００２４】
一方、遊技盤の他の盤面部の各遊技釘の釘画像のうちの少なくとも一遊技釘（以下、他の盤面部側一遊技釘ともいう）の釘画像が、遊技盤の他の盤面部の各遊技釘のうちの上記他の盤面部側一遊技釘の釘画像に対する対応遊技釘からずれて位置しておれば、遊技盤の他の盤面部の各遊技釘の状態が、少なくとも上記他の盤面部側一遊技釘の画像に対する対応遊技釘において、当該パチンコホールへの当該パチンコ遊技機の納入時の状態に維持されておらず、当該パチンコ遊技機の納後、当該パチンコホールにおいて調整されたことが目視により確認され得る。
【００２５】
このように、遊技盤の一盤面部の各遊技釘の釘画像及び遊技盤の他の盤面部の各遊技釘の釘画像が、遊技釘としての状態において、パチンコホールへの納入の際のパチンコ遊技機の遊技盤の一盤面部及び他の盤面部の各遊技釘の状態とすべて一致しておれば、当該パチンコ遊技機においては、遊技盤における遊技釘の調整が、パチンコホールへの納入後何ら行われていないことが確認され得る。このことは、当該パチンコホールにおける当該パチンコ遊技機の営業上の利用が可能であることを意味する。
【００２６】
一方、遊技盤の一盤面部の各遊技釘の釘画像及び遊技盤の他の盤面部の各遊技釘の釘画像が、遊技釘としての状態において、パチンコホールへの納入の際のパチンコ遊技機の遊技盤の一盤面部及び他の盤面部の各遊技釘の調整状態のうちの少なくとも一遊技釘の状態と一致していなければ、当該パチンコ遊技機においては、遊技盤における遊技釘の調整が、パチンコホールへの納入後に行われたことが確認され得る。
【００２７】
以上のように、第１及び第２の釘確認シートでもって、パチンコホールへのパチンコ遊技機の納入の際の遊技盤の各遊技釘が、当該パチンコホールへの納入後において調整されているか否かを目視により確認するようにしたので、パチンコホールに納入された後のパチンコ遊技機の遊技釘に対し、違法な調整が、パチンコホールにおいて行われていないか否かが目視により簡単に確認され得る。
【００２８】
また、本考案は、請求項２の記載によれば、請求項１に記載の釘確認シート体において、第２符号は、第１及び第２の透明シートを重ね合わせたとき、第１透明シートの第１符号の隣に並んで位置するように第２透明シートの第２の四角形状の線状枠の外側面部に描かれていることを特徴とする。
【００２９】
これによれば、第２符号が第１符号に後続する符号であって当該第１符号に並んで位置することから、第１及び第２の釘確認シート部材は、釘確認シート体を正しく構成する釘確認シート部材であることがより一層容易に確認され得るとともに、釘確認シート体を構成する釘確認シート部材の枚数は第１及び第２の釘確認シート部材という２枚の釘確認シート部材であることが、より一層容易に確認され得る。
【００３０】
また、本考案は、請求項３の記載のように、請求項１または２に記載の釘確認シートにおいて、第１及び第２の透明シートの各々は、その各隅角部にて、丸みを帯びた形状に形成されていることを特徴とするようにしてもよい。
【００３１】
また、本考案は、請求項４の記載のように、請求項３に記載の釘確認シート体において、第１及び第２の透明シートの各々は、その各隅角部にて、円弧形状に形成されていることを特徴としてもよい。
【００３２】
また、本考案は、請求項５の記載によれば、請求項１〜４のいずれか１つに記載の釘確認シート体において、第１及び第２の透明シートは、それぞれ、透明の樹脂材料でもって形成されていてもよい。
【００３３】
また、本考案は、請求項６の記載によれば、請求項１〜５のいずれか１つに記載の釘確認シート体において、上記第１及び第２の符号は、互いに連続する数字、片仮名或いはアルファベットであってもよい。
【００３４】
また、本考案は、請求項７の記載によれば、請求項１〜６のいずれか１つの記載の釘確認シート体において、
第１釘確認シート部材は、第１分数文字（１／３、２／３、３／３）を有しており、当該第１分数文字は、第１透明シートにその線状枠の内側にて描かれており、
第２釘確認シート部材は、第２分数文字（１／３、２／３、３／３）を有しており、当該第２分数文字は、第２透明シートにその線状枠の内側にて描かれており、
第１及び第２の分数文字は、各分母にて、確認シート部材の全枚数を特定するとともに、各分子にて、第１及び第２の釘確認シート部材をそれぞれ特定することを特徴とする。
【００３５】
これによれば、釘確認シート体を構成する釘確認シート部材の全枚数が二枚であることが、第１及び第２の分数文字の各分母によって確認され得るとともに、第２釘確認シート部材が第１釘確認シート部材に後続する釘確認シート部材であって、当該第２釘確認シート部材に後続する釘確認シート部材がないことが、第１及び第２の分数文字の各分子によって、確認され得る。これにより、請求項１〜６のいずれか１つに記載の考案の作用効果がより一層確実に達成され得る。
【００３６】
なお、上記各手段の括弧内の符号は、後述する実施形態に記載の具体的手段との対応関係を示す。
【図面の簡単な説明】
【００３７】
【図１】本考案に係る釘確認シート体の一実施形態を適用するためのパチンコ遊技機の遊技盤を示す正面図である。
【図２】上記一実施形態における釘シート体のうち図１の遊技盤の下側部に対応する釘確認シートを示す平面図である。
【図３】上記一実施形態における釘シート体のうち図１の遊技盤の左側部に対応する釘確認シートを示す平面図である。
【図４】上記一実施形態における釘シート体のうち図１の遊技盤の上側部に対応する釘確認シートを示す平面図である。
【考案を実施するための形態】
【００３８】
以下、本考案の一実施形態を図面により説明する。
【００３９】
図１は、本考案に係る釘確認シート体の一実施形態が適用されるパチンコ遊技機の遊技盤（以下、遊技盤Ｐという）を示している。なお、当該パチンコ遊技機は、他のパチンコ遊技機と共にパチンコホール内の島設備に立設されるものである。
【００４０】
遊技盤Ｐは、パチンコ遊技機の遊技機本体の枠体（図示しない）に嵌装されるもので、当該遊技盤Ｐは、遊技板１０と、ガイドレール２０、環状センター構造物３０及び遊技釘群４０とを備えている。
【００４１】
ガイドレール２０は、遊技板１０の前面１１（以下、遊技盤Ｐの盤面１１ともいう）の外周部に沿い配設されている。ガイドレール２０は、内側レール部２１及び外側レール部２２からなるもので、当該ガイドレール２０は、その内周側において、遊技板１０の盤面１１上に遊技領域１２を形成している。しかして、ガイドレール２０は、その内側レール部２１と外側レール部２２との間を通し、ハンドル（図示しない）の回動操作により球発射装置（図示しない）から発射される遊技球を案内して、遊技領域１２内に転動させる。なお、環状センター構造物３０は、遊技板１０の中央開口部１３の外周部に装着されている。
【００４２】
遊技釘群４０は、多数の遊技釘４１からなるもので、当該多数の遊技釘４１は、図１にて示すごとく、ガイドレール２０の内周側において、センター構造物３０の上側、左側及び下側に亘り、遊技盤Ｐにその盤面１１側から分散して打ち込まれている。しかして、当該遊技釘群４０によれば、ガイドレール２０から遊技領域１２内に転動する遊技球が、遊技盤Ｐの盤面１１に沿い、各遊技釘４１との衝突を経て、下方へ転動する。なお、図１において、符号１４は、アウト口を示す。
【００４３】
また、当該遊技盤Ｐは、第１始動入賞口装置５０ａ、第２始動入賞口装置５０ｂ、スルーゲート６０ａ、風車６０ｂ、左右両側の各一対の普通入賞口装置７０、大入賞口装置８０及び演出表示装置９０を備えており、これら第１始動入賞口装置５０ａ、第２始動入賞口装置５０ｂ、スルーゲート６０ａ、風車６０ｂ、各普通入賞口装置７０、大入賞口装置８０及び演出表示装置９０は、図１にて示す各位置にて、遊技盤Ｐの盤面１１に遊技領域１２内にて組み付けられている。
【００４４】
第１始動入賞口装置５０ａは、図１にて示すごとく、演出表示装置９０の下縁中央部の直下に位置している。この第１始動入賞口装置５０ａは、その始動入賞口への遊技球の入賞に基づき、大当たり抽選（大当たりか否かの抽選）の機会を提供するようになっている。
【００４５】
第２始動入賞口装置５０ｂは、第１始動入賞口装置５０ａの直下に位置している。この第２始動入賞口装置４０は、電動チューリップ部材でもって構成されており、当該第２始動入賞口装置４０は、その始動入賞口への遊技球の入賞に基づき、第１始動入賞口装置５０ａと同様に大当たり抽選の機会を提供する。
【００４６】
スルーゲート６０ａは、図１にて示すごとく、演出表示装置９０の左側に位置しており、このスルーゲート６０ａは、その直上から遊技盤Ｐの盤面１１に沿い下方へ転動する遊技球に対し通過する機会を与える。
【００４７】
左右両側の各一対の普通入賞口装置７０は、図１にて示すごとく、大入賞口装置８０の左右両側に位置しており、左側の一対の普通入賞口装置７０は、それぞれ、その普通入賞口への遊技球の入賞の機会を与える。また、右側の一対の普通入賞口装置７０は、それぞれ、その普通入賞口への遊技球の入賞の機会を与える。
【００４８】
大入賞口装置８０は、図１にて示すごとく、第２始動入賞口装置５０ｂの直下に位置しており、この大入賞口装置８０は、その大入賞口扉の開閉に伴い、遊技盤Ｐの盤面１１に沿い第１始動入賞口装置５０ａの近傍へ転動する遊技球に対し大入賞口への入賞の機会を与える。
【００４９】
演出表示装置９０は、図１にて示すごとく、その表示パネル９１にて、遊技板１０の中央開口部１３にその裏面側から組み付けられている。しかして、演出表示装置９０は、遊技の進行に伴い、表示パネル９１により、色々な演出表示する。
【００５０】
釘確認シート体は、３枚の第１、第２及び第３の釘確認シート部材Ｓ１、Ｓ２及びＳ３（図２〜図４参照）でもって構成されており、これら第１、第２及び第３の釘確認シート部材Ｓ１、Ｓ２及びＳ３は、主として、遊技盤Ｐを有するパチンコ遊技機がパチンコホールへ新台として納入された際の当該遊技盤Ｐにおける各遊技釘その他の盤面部材を表すものである。
【００５１】
第１釘確認シート部材Ｓ１は、図２にて示すごとく、透明シート１００を備えており、この透明シート１００は、シート状の透明樹脂材料により、４辺１０１、１０２、１０３及び１０４からなる長方形状となるように形成されている。ここで、両辺１０１及び１０３は、互いに対向して平行となっている。これに伴い、残りの両辺１０２及び１０４も、互いに平行となっている。
【００５２】
また、当該第１釘確認シート部材Ｓ１は、長方形状の線状枠１１０を有しており、当該線状枠１１０は、４辺１１１、１１２、１１３及び１１４からなる長方形状となるように、透明シート１００の表面に黒色印刷により描かれている。ここで、当該線状枠１１０の各辺１１１、１１２、１１３及び１１４は、それぞれ、透明シート１００の各辺１０１、１０２、１０３及び１０４と平行となっている。
【００５３】
また、当該第１釘確認シート部材Ｓ１は、遊技盤Ｐの下部画像Ａ（図１及び図２参照）を特定するもので、当該下部画像Ａは、遊技盤Ｐのうちの下部の画像として、遊技盤Ｐを図1にてその前方から見える形状にて透明シート１００の表面に黒色の印刷で描かれている。
【００５４】
ここで、当該下部画像Ａは、ガイドレール２０の下部、このガイドレール２０の下部の内側に位置するセンター構造物３０の下部、及びガードレール２０の内側レール部２１の内周に沿い位置する左右両側の各一対の普通入賞口装置７０及び大入賞口装置８０をその前方から見た各画像部を有する。
【００５５】
また、当該下部画像Ａは、センター構造物３０の下部に左側に位置する風車６０ｂ、センター構造物３０の下部の中央部と大入賞口装置８０との間に位置する第１及び第２の始動入賞口装置５０ａ、５０ｂをその前方から見た各画像部を有する。
【００５６】
当該下部画像Ａは、さらに、遊技釘群４０のうち、内側レール部２１の下部とセンター構造物３０の下部との間に分散状に位置する各遊技釘４１をその前方から見た形状の各画像部を有する。
【００５７】
本実施形態では、第１釘確認シート部材Ｓ１を特定する符号が、囲い文字１２０でもって、透明シート１００の表面のうちの線状枠１１０の辺１１１の外側であって当該辺１１１の図２にて図示左端部側に位置する表面部に、黒色印刷により線状枠１１０よりも太目に描かれている。
【００５８】
ここで、囲い文字１２０は、数字「１」を□で囲って構成されており、当該囲い文字１２０は、第１釘確認シート部材Ｓ１が、第１〜第３の釘確認シート部材Ｓ１〜Ｓ３のうちの一枚目の釘確認シート部材であることを表す。
【００５９】
また、第１釘確認シート部材Ｓ１が、第１〜第３の釘確認シート部材Ｓ１〜Ｓ３のうちの一枚目の釘確認シート部材であることを特定する符号が、分数文字「１／３」でもって、透明シート１００の表面のうちの線状枠１１０内にてその図２にて図示左下側隅角部に黒色印刷により線状枠１１０よりも太目に描かれている。
【００６０】
本実施形態において、分数文字は、釘確認シート体を構成する釘確認シート部材の枚数を分母とし、第１〜第３の釘シート部材S１〜Ｓ３のうちのいずれかを分子として特定する。例えば、分数文字が「１／３」である場合には、分母「３」が、釘確認シート体を構成する釘確認シート部材の枚数が３枚であることを特定し、分子「１」が、第１釘確認シート部材Ｓ１に対応することを特定する。
【００６１】
第２釘確認シート部材は、図３にて示すごとく、透明シート２００を備えており、この透明シート２００は、シート状の透明樹脂材料により、透明シート１００と同一の長方形状を有するように形成されている。ここで、透明シート２００は、透明シート１００の４辺１０１、１０２、１０３及び１０４に対応する４辺２０１、２０２、２０３及び２０４を有するように形成されている。また、両辺２０１及び２０３は、互いに対向して平行となっている。これに伴い、残りの両辺２０２及び２０４も、互いに平行となっている。
【００６２】
また、当該第２釘確認シート部材Ｓ２は、長方形状の線状枠２１０を有しており、当該線状枠２１０は、４辺２１１、２１２、２１３及び２１４からなる長方形状となるように、透明シート２００の表面に黒色印刷により描かれている。ここで、当該線状枠２１０の各辺２１１、２１２、２１３及び２１４は、それぞれ、透明シート２００の各辺２０１、２０２、２０３及び２０４と平行となっている。
【００６３】
また、当該第２釘確認シート部材Ｓ２は、遊技盤Ｐの左部画像Ｂ（図１及び図３参照）を特定するもので、当該左部画像Ｂは、遊技盤Ｐのうちの左部の画像として、遊技盤Ｐを図1にてその前方から見える形状にて透明シート２００の表面に黒色の印刷で描かれている。
【００６４】
ここで、当該左部画像Ｂは、ガイドレール２０の左部、このガイドレール２０の左部の内側に位置するセンター構造物３０の左部、及びガードレール２０の内側レール部２１の内周に沿い位置する左側の一対の普通入賞口装置７０をその前方から見た各画像部を有する。
【００６５】
また、当該左部画像Ｂは、センター構造物３０の左部に左側に位置するスルーゲート６０ａ及び風車６０ｂをその前方から見た各画像部を有する。
【００６６】
当該左部画像Ｂは、さらに、遊技釘群４０のうち、ガイドレール２０の左部及び左側普通入賞口装置７０とセンター構造物３０の左部との間に分散状に位置する各遊技釘４１をその前方から見た形状の各画像部を有する。
【００６７】
本実施形態では、第２釘確認シート部材Ｓ２を特定する符号が、囲い文字２２０でもって、透明シート２００の表面のうちの線状枠２１０の辺２１１の外側であって当該辺２１１の図３にて図示下端部側に位置する表面部に、黒色印刷により線状枠２１０よりも太目に描かれている。また、当該囲い文字２２０は、第１及び第２の釘確認シート部材Ｓ１及びＳ２を重畳したとき囲い文字１２０の右側に隣接するように描かれている。
【００６８】
ここで、囲い文字２２０は、数字「２」を□で囲って構成されており、当該囲い文字２２０は、第２釘確認シート部材Ｓ２が、第１〜第３の釘確認シート部材Ｓ１のうちの二枚目の釘確認シート部材であることを表す。
【００６９】
また、第２釘確認シート部材Ｓ２が、第１〜第３の釘確認シート部材Ｓ１〜Ｓ３のうちの二枚目の釘確認シート部材であることを特定する符号が、分数文字「２／３」でもって、透明シート２００の表面のうちの線状枠２１０内にてその図３にて図示右下側隅角部に黒色印刷により線状枠２１０よりも太目に描かれている。
【００７０】
第３釘確認シート部材Ｓ３は、図４にて示すごとく、透明シート３００を備えており、この透明シート３００は、シート状の透明樹脂材料により、透明シート１００と同一の長方形状を有するように形成されている。ここで、透明シート３００は、透明シート１００の４辺１０１、１０２、１０３及び１０４に対応する４辺３０１、３０２、３０３及び３０４を有するように形成されている。また、両辺３０１及び３０３は、互いに対向して平行となっている。これに伴い、残りの両辺３０２及び３０４も、互いに平行となっている。
【００７１】
また、当該第３釘確認シート部材Ｓ３は、遊技盤Ｐの上部画像Ｃ（図１及び図４参照）を特定するもので、当該上部画像Ｃは、遊技盤Ｐのうちの上部の画像として、遊技盤Ｐを図1にてその前方から見える形状にて透明シート３００の表面に黒色の印刷で描かれている。
【００７２】
ここで、当該上部画像Ｃは、ガイドレール２０の上部及びこのガイドレール２０の上部の内側に位置するセンター構造物３０の上部をその前方から見た各画像部を有する。
【００７３】
また、当該左部画像Ｃは、図４にて示すごとく、遊技釘群４０のうち、外側レール部２２の上部とセンター構造物３０の上部との間に分散状に位置する各遊技釘４１をその前方から見た形状の各画像部を有する。
【００７４】
本実施形態では、第３釘確認シート部材Ｓ３を特定する符号が、囲い文字３２０でもって、透明シート３００の表面のうちの線状枠３１０の辺３１１の外側であって当該辺３１１の図４にて図示左端部側に位置する表面部に、黒色印刷により線状枠３１０よりも太目に描かれている。また、当該囲い文字３２０は、第２及び第３の釘確認シート部材Ｓ２及びＳ３を重畳したとき囲い文字２２０の右側に隣接するように描かれている。
【００７５】
ここで、囲い文字３２０は、数字「３」を□で囲って構成されており、当該囲い文字２２０は、第３釘確認シート部材Ｓ３が、第１〜第３の釘確認シート部材Ｓ１〜Ｓ３のうちの三枚目の釘確認シート部材であることを表す。
【００７６】
また、第３釘確認シート部材Ｓ３が、第１〜第３の釘確認シート部材Ｓ１〜Ｓ３のうちの三枚目の釘確認シート部材であることを特定する符号が、分数文字「３／３」でもって、透明シート３００の表面のうちの線状枠３１０内にてその図４にて図示左下側隅角部に黒色印刷により線状枠３１０よりも太目に描かれている。
【００７７】
以上のように構成した本実施形態において、釘確認シート体は、次のようにして使用される。この使用にあたり、当該釘確認シート体を構成する釘確認シート部材がすべて正しく揃っているかどうかが確認される。この確認は次のようにして行う。
【００７８】
まず、手元にあるすべての釘確認シート部材を重ね合わせる。この重ね合わせは、各釘確認シート部材の囲い文字を相互に隣り合って位置させるように、各透明シートを重ね合わせる。具体的には、手元にあるすべての釘確認シート部材が、図２〜図４にて示す第１〜第３の釘確認シート部材Ｓ１〜Ｓ３であれば、これら第１〜第３の釘確認シート部材Ｓ１、Ｓ２及びＳ３を、各透明シート１００、２００及び３００の外形が互いに重なるように重ね合わせる。
【００７９】
このとき、透明シート１００の両隣接辺１０１及び１０２が形成する隅角部と、透明シート２００の両隣接辺２０１及び２０２が形成する隅角部と、透明シート３００の両隣接辺両隣接辺３０１及び３０２が形成する隅角部とが、互いに重なるように、第１〜第３の釘確認シート部材Ｓ１、Ｓ２及びＳ３を重ね合わせる。
【００８０】
これに伴い、各囲い文字１２０、２２０及び３２０が、左右に並んで配列される。この配列状態は、各透明シート１００．２００及び３００が共に透明であることから、良好に視認され得る。これにより、当該釘確認シート体における釘確認シート部材の枚数は、一応、３枚である旨、確認され得る。
【００８１】
また、このような状態においては、各分数文字１３０、２３０及び３３０が、各対応の透明シート１００、２００及び３００の線状枠１１０、２１０及び３１０の内側における記載から、「１／３」、「２／３」及び「３／３」として視認され得る。
【００８２】
これによれば、各分数文字１３０、２３０及び３３０のうちの最大分数を表す分数文字は、「３／３」であることから、当該釘確認シート体における釘確認シート部材の全枚数は３枚であることが確認され得る。なお、図２〜図４では、便宜上、各分数文字１３０、２３０及び３３０が互いに重なる位置に記載されているが、視認しにくければ、各透明シート１００、２００及び３００を互いに分離して視認すれば、良好に視認し得る。
【００８３】
以上のような作業によって、図１の遊技盤Ｐにおける遊技釘群４０の各遊技釘４１の状態を目視により確認するに要する釘確認シート体が適正に整っていることが確認され得る。
【００８４】
次に、このように適正な釘確認シート体の使用による遊技盤Ｐの遊技釘群４０の各遊技釘４１の調整状態が適正か否かの目視確認は以下のようにして行う。
【００８５】
ここで、当該確認は、遊技盤Ｐを有するパチンコ遊技機が納入業者によりパチンコホールに新台として納入された際の各遊技釘の調整状態が、その後も、当該パチンコホールにおいてそのまま維持されているか否かについて行う。
【００８６】
第１〜第３の釘確認シート部材Ｓ１〜Ｓ３のうち、まず、第１釘確認シート部材Ｓ１を用いて遊技盤Ｐにおける遊技釘の調整の確認を行う。
【００８７】
当該第１釘確認シート部材Ｓ１は、遊技盤Ｐの下部画像Ａ（図１及び図２参照）を特定するものであるから、当該第１釘確認シート部材Ｓ１を、その透明シート１００にて、遊技盤Ｐの下部にその前側からかざす。このとき、透明シート１００の下部画像Ａが、遊技盤Ｐの下部に重なるように、透明シート１００を遊技盤Ｐの下部にかざす。
【００８８】
これに伴い、下部画像Ａの各遊技釘４１の釘画像が、遊技盤Ｐの下部の各遊技釘４１からずれることなく当該各遊技釘４１に正しく重なって位置しているか否かが目視により確認される。
【００８９】
ここで、下部画像Ａの各遊技釘４１の釘画像が、遊技盤Ｐの下部の各遊技釘４１からずれることなく当該各遊技釘４１に正しく重なって位置しておれば、遊技盤Ｐの下部の各遊技釘４１の調整状態が、当該パチンコホールへの当該パチンコ遊技機の納入時の状態に維持されていることが目視により確認され得る。このことは、当該パチンコ遊技機は、その遊技盤Ｐの下部の各遊技釘の調整が、当該パチンコホールへの納入後において何ら新たに調整されていないことを意味する。
【００９０】
一方、下部画像Ａの各遊技釘４１のうちの少なくとも一遊技釘の釘画像が、遊技盤Ｐの下部の各遊技釘４１のうちの上記一遊技釘の釘画像に対する対応遊技釘からずれて位置しておれば、遊技盤Ｐの下部の各遊技釘４１の調整が、少なくとも上記一遊技釘の釘画像に対する対応遊技釘において、当該パチンコホールへの当該パチンコ遊技機の納入時の調整状態に維持されておらず、当該パチンコホールにおいて新たになされた調整状態にあることが目視により確認され得る。
【００９１】
次に、第２釘確認シート部材Ｓ２を用いて遊技盤Ｐにおける遊技釘の調整の確認を行う。
【００９２】
当該第２釘確認シート部材Ｓ２は、遊技盤Ｐの左部画像Ｂ（図１及び図３参照）を特定するものであるから、当該第２釘確認シート部材Ｓ２を、その透明シート２００にて、遊技盤Ｐの左部にその前側からかざす。このとき、透明シート２００の左部画像Ｂが、遊技盤Ｐの左部に重なるように、透明シート２００を遊技盤Ｐの左部にかざす。
【００９３】
これに伴い、左部画像Ｂの各遊技釘４１の画像が、遊技盤Ｐの左部の各遊技釘４１からずれることなく当該各遊技釘４１に正しく重なって位置しているか否かが目視により確認される。
【００９４】
ここで、左部画像Ｂの各遊技釘４１の釘画像が、遊技盤Ｐの左部の各遊技釘４１からずれることなく当該各遊技釘４１に正しく重なって位置しておれば、遊技盤Ｐの左部の各遊技釘４１の調整が、当該パチンコホールへの当該パチンコ遊技機の納入時の状態に維持されていることが目視により確認され得る。このことは、当該パチンコ遊技機では、その遊技盤Ｐの左部の各遊技釘の調整が、当該パチンコホールへの納入後において何ら新たに調整されていないことを意味する。
【００９５】
一方、左部画像Ｂの各遊技釘４１のうちの少なくとも一遊技釘（以下、左部側一遊技釘ともいう）の釘画像が、遊技盤Ｐの左部の各遊技釘４１のうちの上記左部側一遊技釘の釘画像に対する対応遊技釘からずれて位置しておれば、遊技盤Ｐの左部の各遊技釘４１の調整が、少なくとも上記左部側一遊技釘の釘画像に対する対応遊技釘において、当該パチンコホールへの当該パチンコ遊技機の納入時の状態に維持されておらず、当該パチンコホールにおいて新たになされた調整状態にあることが目視により確認され得る。
【００９６】
さらに、第３釘確認シート部材Ｓ３を用いて遊技盤Ｐにおける遊技釘の調整の確認を行う。
【００９７】
当該第３釘確認シート部材Ｓ３は、遊技盤Ｐの上部画像Ｃ（図１及び図４参照）を特定するものであるから、当該第３釘確認シート部材Ｓ３を、その透明シート３００にて、遊技盤Ｐの上部にその前側からかざす。このとき、透明シート３００の上部画像Ｃが、遊技盤Ｐの上部に重なるように、透明シート３００を遊技盤Ｐの上部にかざす。
【００９８】
これに伴い、上部画像ＣＢの各遊技釘４１の画像が、遊技盤Ｐの上部の各遊技釘４１からずれることなく当該各遊技釘４１に正しく重なって位置しているか否かが目視により確認される。
【００９９】
ここで、左部画像Ｂの各遊技釘４１の釘画像が、遊技盤Ｐの上部の各遊技釘４１からずれることなく当該各遊技釘４１に正しく重なって位置しておれば、遊技盤Ｐの上部の各遊技釘４１の調整が、当該パチンコホールへの当該パチンコ遊技機の納入時の状態に維持されていることが目視により確認され得る。このことは、当該パチンコ遊技機は、その遊技盤Ｐの上部の各遊技釘の調整が、当該パチンコホールへの納入後において何ら新たに調整されていないことを意味する。
【０１００】
一方、上部画像Ｃの各遊技釘４１のうちの少なくとも一遊技釘（以下、上部側一遊技釘ともいう）の釘画像が、遊技盤Ｐの上部の各遊技釘４１のうちの上記上部側一遊技釘の釘画像に対する対応遊技釘からずれて位置しておれば、遊技盤Ｐの上部の各遊技釘４１の調整が、少なくとも上記上左部側一遊技釘の釘画像に対する対応遊技釘において、当該パチンコホールへの当該パチンコ遊技機の納入時の状態に維持されておらず、当該パチンコホールにおいて新たになされた調整状態にあることが目視により確認され得る。
【０１０１】
このように、下部画像Ａ、左部画像Ｂ及び上部画像Ｃは、相互に重なる画像部分を有していても、全体として、遊技盤Ｐの全遊技釘の釘画像を含むことから、下部画像Ａ、左部画像Ｂ及び上部画像Ｃの各遊技釘４１の釘画像が、遊技釘としての調整状態において、上述のごとくパチンコホールへの納入の際のパチンコ遊技機の遊技盤Ｐの下部、左部及び上部の各遊技釘４１の調整状態とすべて一致しておれば、当該パチンコ遊技機においては、遊技盤Ｐにおける遊技釘の調整が、パチンコホールへの納入後何ら新たに行われていないことが確認され得る。このことは、当該パチンコホールにおける当該パチンコ遊技機の営業上の利用が可能であることを意味する。
【０１０２】
一方、下部画像Ａ、左部画像Ｂ及び上部画像Ｃの各遊技釘４１の画像が、遊技釘としての調整状態において、上述のごとくパチンコホールへの納入の際のパチンコ遊技機の遊技盤Ｐの下部、左部及び上部の各遊技釘４１の調整状態のうちの少なくとも一遊技釘の調整状態と一致していなければ、当該パチンコ遊技機においては、遊技盤Ｐにおける遊技釘の調整が、パチンコホールへの納入後新たに行われたことが確認され得る。このことは、当該パチンコホールにおける当該パチンコ遊技機の営業上の利用が禁止されることを意味する。
【０１０３】
以上説明したように、本実施形態によれば、釘確認シート体が、第１〜第３の釘確認シート部材Ｓ１〜Ｓ３により構成されている。
【０１０４】
当該第１〜第３の釘確認シート部材Ｓ１〜Ｓ３は、それぞれ、透明シート１００、２００及び３００を有しており、これら透明シート１００、２００及び３００には、各囲い文字１２０、２２０及び３３０が黒色により印刷されている。
【０１０５】
これら各囲い文字１２０、２２０及び３３０は、□で囲われる数字１、２及び３でもって構成されていることから、透明シート１００を有する第１釘確認シート部材Ｓ１、透明シート２００を有する第２釘確認シート部材Ｓ２及び透明シート３００を有する第３釘確認シート部材Ｓ３が、この順番でもって、各囲い文字１２０、２２０及び３３０でもって、釘確認シート体の構成を釘確認シート部材の枚数と共に特定し得る。
【０１０６】
ここで、透明シート１００には、分数文字１３０が「１／３」でもって黒色により印刷され、透明シート２００には、分数文字２３０が「２／３」でもって黒色により印刷され、また、透明シート３００には、分数文字３３０が「３／３」でもって黒色により印刷されている。これにより、分数文字３３０が「３／３」という最大値を有することから、釘確認シート体を構成する釘確認シート部材の枚数は、３枚であることが特定され得る。
【０１０７】
従って、第１〜第３の釘確認シート部材Ｓ１〜Ｓ３を上述のように重ね合わせたとき、各囲い文字１２０、２２０及び３３０が、順番に並んで位置することが目視により確認され、各分数文字１３０、２３０及び３３０のうち最大の値を有する分数文字３３０が目視により確認されれば、釘確認シート体としての構成が正しく整っていることが認識され得る。
【０１０８】
当該第１〜第３の釘確認シートＳ１〜Ｓ３でもって、上述のごとく、パチンコホールへのパチンコ遊技機の納入の際の遊技盤Ｐの各遊技釘が、当該パチンコホールへの納入後において新たに調整されているか否かを目視により確認するようにしたので、パチンコホールに納入された後のパチンコ遊技機の遊技釘に対し、違法な調整が、パチンコホールにおいて行われていないか否かが目視により簡単に確認され得る。
【０１０９】
なお、本考案の実施にあたり、上記実施形態に限ることなく、次のような種々の変形例が挙げられる。
【０１１０】
（１）本考案の実施にあたり、各囲い文字１２０〜３２０における文字は、数字１、２及び３に限ることなく、例えば、アルファベットのＡ、Ｂ及びＣであってもよく、片仮名のイ、ロおよびハであってもよい。また、各囲い文字において数字を囲う□は、これに限ることなく、△或いは〇であってもよい。
【０１１１】
（２）本考案の実施にあたり、各透明シートは、無色透明に限ることなく、有色透明であってもよい。この場合、各有色透明の透明シートに対する印刷は、黒色に代えて、明確に視認し得る色、例えば、白色で行うようにしてもよい。
【０１１２】
（３）また、本考案の実施にあたり、釘確認シート体を構成する釘確認シート部材は、上記実施形態にて述べた３枚に限ることなく、必要に応じて適宜変更してもよい。
【０１１３】
（４）また、本考案の実施にあたり、パチンコ遊技機は上記実施形態にて述べた遊技盤Ｐを有するものに限ることなく、各種の遊技盤を有するパチンコ遊技機に本考案を適用して行ってもよい。
【０１１４】
（５）また、本考案の実施にあたり、透明シート１００、２００或いは３００に対する黒色による印刷は、透明シート１００、２００或いは３００の表面に限ることなく、裏面に行ってもよく、或いは表面と裏面とに分けて行うようにしてもよい。
【０１１５】
（６）本考案の実施にあたり、各囲い文字１２０、２２０及び３２０は、上記実施形態にて述べた位置に限ることなく、各透明シート１００、２００及び３００の各線状枠１１０、２１０及び３１０の外側部位のどの位置に印刷されていてもよい。
【０１１６】
（７）また、本考案の実施にあたり、各分数文字１３０、２３０及び３３０は、対応の各線状枠１１０、２１０及び３１０の内側であって、下部画像Ａ、左部画像Ｂと重ならない位置であれば、どの位置で各透明シート１００、２００、３００に印刷するようにしてもよい。
【０１１７】
（８）また、本考案の実施にあたり、長方形状からなる各透明シート１００、２００及び３００の各々の４つの隅角部は、直角形状に限ることなく、例えば、円弧形状等の丸みを帯びた形状やテーパ形状であってもよい。
【０１１８】
（９）本考案の実施にあたり、上記実施形態にて述べたようにパチンコ遊技機の新台のパチンコホールへの納入後に限ることなく、パチンコホールへの納入済みのパチンコ遊技機の部品交換後或いはパチンコ遊技機の旧台のパチンコホールへの移転後において、パチンコホール側におけるパチンコ遊技機の遊技釘の調整の有無を確認するにあたり、釘確認シート体を使用してもよい。
【符号の説明】
【０１１９】
Ｐ…遊技盤、Ｓ１…第１釘確認シート部材、Ｓ２…第２釘確認シート部材、
Ｓ３…第３釘確認シート部材、１１…盤面、４０…遊技釘群、
４１…遊技釘１００、２００、３００…透明シート、
１１０、２１０、３１０…線状枠、１２０、２２０、３２０…囲い文字、
１３０、２３０、３３０…分数文字。
【図１】
0003221387.tif 000003
【図２】
0003221387.tif 000004
【図３】
0003221387.tif 000005
【図４】
0003221387.tif 000006